(57)【要約】【課題】緩みまたは変位を抑制可能なバイトホルダを提供する。【解決手段】ベース２００、位置決めチューブ３００および、位置決めユニット４００を備える。ベース２００は、ベース穴２２０を有し、ベース穴２２０の片側に貫通穴２４０が形成されている。位置決めチューブ３００は、バイトを収容する軸方向収容穴３１０が中央に形成され、ベース穴２２０に貫設される挿入部３２０が設けられ、挿入部３２０の片側に位置決め溝３２１が形成されている。位置決めユニット４００は、位置決めチューブ３００の位置決め溝３２１に当接するように、ベース２００の貫通穴２４０内に挿入されている。【選択図】図１
2013163964.tif 000002
【特許請求の範囲】
【請求項１】
バイトを支持することに用いられるバイトホルダであり、
ベース穴を有し、前記ベース穴の片側に貫通穴が形成されているベースと、
前記バイトを収容する軸方向収容穴が中央に形成され、前記ベース穴に貫設される挿入部が設けられ、前記挿入部の片側に位置決め溝が形成されている位置決めチューブと、
前記位置決めチューブの前記位置決め溝に当接するように、前記ベースの前記貫通穴内に挿入されている位置決めユニットと、
を備えるバイトホルダ。
【請求項２】
前記ベースは、前傾斜壁および後傾斜壁を更に有し、前記後傾斜壁に前記ベース穴および前記ベース穴を囲む環状承接面が形成され、
前記位置決めチューブは、外壁に、前記環状承接面に当接する当接部が形成されていることを特徴とする請求項１に記載のバイトホルダ。
【請求項３】
前記ベースは、前記ベース穴の前記貫通穴に対向する位置に形成されている軸方向係止溝を更に有し、
前記位置決めチューブは、前記位置決め溝とは反対側の位置に、前記軸方向係止溝と対応する係止部材が設けられ、当該係止部材が前記軸方向係止溝に係止されることにより前記ベースとの相対回転および緩みが抑制されることを特徴とする請求項１に記載のバイトホルダ。
【請求項４】
前記軸方向係止溝は、横断面がＶ字状であり、
前記係止部材は、前記軸方向係止溝に対応して横断面が三角形であることを特徴とする請求項３に記載のバイトホルダ。
【請求項５】
前記軸方向係止溝は、横断面がＵ字状であり、
前記係止部材は、前記軸方向係止溝に対応して横断面が半円形であることを特徴とする請求項３に記載のバイトホルダ。
【請求項６】
前記軸方向係止溝は、アリ溝であり、
前記係止部材は、前記軸方向係止溝に対応するアリほぞであることを特徴とする請求項３に記載のバイトホルダ。
【請求項７】
前記係止部材の断面積は、径方向の内側から外側へ向かうにしたがって漸進的に縮小することを特徴とする請求項３に記載のバイトホルダ。
【請求項８】
前記軸方向係止溝の断面積は、径方向の外側から内側へ向かうにしたがって漸進的に縮小することを特徴とする請求項３に記載のバイトホルダ。
【請求項９】
前記軸方向係止溝の延出方向は、前記位置決めユニットの貫通方向と垂直になることを特徴とする請求項３に記載のバイトホルダ。
【請求項１０】
前記位置決めチューブは、前記バイトの送り端に形成されている切り欠きを有し、
前記ベースは、前記切り欠きに対応する位置に、凸部が設けられており、
前記凸部は、前記切り欠き内に当接することによって、前記位置決めチューブと前記ベースとの相対回転および緩みを抑制することを特徴とする請求項１に記載のバイトホルダ。
【請求項１１】
前記位置決めユニットは、横断面がＣ字状であるスプリングピンであり、弾性によって前記貫通穴内に安定的に位置決められていることを特徴とする請求項１に記載のバイトホルダ。
【請求項１２】
前記位置決めユニットは、断面積が延出方向に沿って漸進的に変化することによって、前記位置決めチューブを係止することを特徴とする請求項１に記載のバイトホルダ。
【請求項１３】
前記ベースの前記貫通穴に設けられているねじ部材をさらに備え、
前記ベースの前記貫通穴は、円形であり、内部に狭いネック部が形成されており、
前記ねじ部材は、前記狭いネック部に当接可能なナット部と、前記狭いネック部を貫通可能なネジ部とを有し、前記狭いネック部によって前記貫通穴内に係止され、
前記位置決めユニットは、前記貫通穴に対応する筒状であり、外表面に形成されている傾斜面、および、内表面に形成され前記ネジに対応する係止ねじ山を有し、
前記ねじ部材により前記貫通穴内の前記位置決めユニットの位置を変え、前記位置決めチューブに対応する前記傾斜面の係止程度を変更可能であることを特徴とする請求項１２に記載のバイトへホルダ。
【請求項１４】
前記ベースの前記貫通穴に設けられ、ナット部とネジ部とを有するねじ部材をさらに備え、
前記ベースの前記貫通穴は、円形であり、
前記位置決めチューブの前記位置決め溝に、第一表面を有するリッジ部が設けられ、  前記位置決めユニットは、前記貫通穴に対応する筒状であり、外壁に前記リッジ部に対応する位置決め溝が形成されており、内壁に前記ネジ部に対応する係止ねじ山が形成されており、
前記位置決め溝は、前記第一表面に当接可能な傾斜面を有し、
前記ねじ部材により前記貫通穴内の前記位置決めユニットの位置を変え、前記位置決めチューブに対応する前記傾斜面の係止程度を変更可能であることを特徴とする請求項１２に記載のバイトへホルダ。
【発明の詳細な説明】
【技術分野】
【０００１】
本発明は、バイトホルダに関し、特に、路面切削機、各種のロータリ式掘削装置又は研削工具に取り付けられるバイトホルダに関する。
【背景技術】
【０００２】
従来のバイトホルダは、バイトを搭載して道路路面の切削、鉱物の掘採、穴あけ又は道路路面の表面粗さ処理に用いられる平削・ドリル器具のカッター（ｃｕｔｔｅｒ）又はバイトホルダ（ｔｏｏｌ−ｈｏｌｄｉｎｇ  ｄｅｖｉｃｅ）に用いられる。
【０００３】
上述した従来のバイトホルダは、ベースと、係合ユニット、および挟み基盤を含む。被加工物に対してドリル・平削の作用力を容易に施すために、バイトは、ベースとの間で所定角度を有するように、挟み基盤に取り付けられる必要がある。平削・ドリル器具で加工を行う場合、まずバイトの切刃で被加工物に対して圧力を加えて押す動作を行う。続いてロールの回転運動に伴って被加工物に対して平削の動作を行う。これで、被加工物（例えば、道路路面のセメント、アスファルト）を破壊する目的を達成する。
【０００４】
一般的に、被加工物が強固な構造を有するため、バイトの使用寿命はかなり限られており、頻繁にバイトを交換する必要がある。しかし、加工する時の反作用力は、バイト本体までしかフィードバックしないわけではなく、その反作用力が同時に挟み基盤及びベースにも加えられる。このため、挟み基盤とベースの間の強度が十分でなければ、挟み基盤をバイトとともに交換する必要があり、コストの増加が大きくなる。
【０００５】
以上から分かるように、被加工物の固い表面に対して、予想の加工目的を達成するために、これらのバイトホルダの組み立て強度は、特に重要である。路面切削機を例として、そのロール上のバイトが回転して平削・ドリル作業を行う場合、平削しようとする路面へのドリル・平削の作用力は、バイトホルダ装置に対してもフィードバックの作用力を形成する。この反作用力は、バイトホルダ装置にとって致命傷となり、特に、路面切削機が異常な操作作業を行う場合では、バイトホルダの使用寿命性が低下する原因となる。
【０００６】
このため、このバイトホルダ装置のベースと挟み基盤との結合強度及びバイトの送り方向の荷重能力を如何に高めるかは、バイトホルダの使用寿命及びユニット交換にかかわるコスト低下のポイントとなり、業界ではいつまでも求められる目標の一つである。
【先行技術文献】
【特許文献】
【０００７】
【特許文献１】特開２０００−６１７１２号公報
【発明の概要】
【発明が解決しようとする課題】
【０００８】
本発明は上述の課題に鑑みてなされたものであり、その目的は、緩みまたは変位を抑制可能なバイトホルダを提供することにある。
【課題を解決するための手段】
【０００９】
本発明の請求項１にかかる発明によるバイトホルダは、バイトを支持することに用いられ、ベース、位置決めチューブ、および、位置決めユニットを備える。ベースは、ベース穴を有し、ベース穴の片側に貫通穴が形成されている。位置決めチューブは、バイトを収容する軸方向収容穴が中央に形成され、ベース穴に貫設される挿入部が設けられ、挿入部の片側に位置決め溝が形成されている。位置決めユニットは、位置決めチューブの位置決め溝に当接するように、ベースの貫通穴内に挿入されている。
【００１０】
請求項２にかかる発明によると、ベースは、前傾斜壁および後傾斜壁を更に有し、後傾斜壁に前記ベース穴およびベース穴を囲む環状承接面が形成される。位置決めチューブは、外壁に、環状承接面に当接する当接部が形成されている。
【００１１】
請求項３にかかる発明によると、ベースは、ベース穴の貫通穴に対向する位置に形成されている軸方向係止溝を更に有する。位置決めチューブは、位置決め溝とは反対側の位置に、軸方向係止溝と対応する係止部材が設けられ、係止部材が軸方向係止溝に係止されることによりベースとの相対回転および緩みが抑制される。
【００１２】
請求項４にかかる発明によると、軸方向係止溝は横断面がＶ字状であり、係止部材は軸方向係止溝に対応して横断面が三角形である。
請求項５にかかる発明によると、軸方向係止溝は横断面がＵ字状であり、係止部材は軸方向係止溝に対応して横断面が半円形である。
請求項６にかかる発明によると、軸方向係止溝はアリ溝であり、係止部材は軸方向係止溝に対応するアリほぞである。
請求項７にかかる発明によると、係止部材の断面積は、径方向の内側から外側へ向かうにしたがって漸進的に縮小する。
請求項８にかかる発明によると、軸方向係止溝の断面積は、径方向の外側から内側へ向かうにしたがって漸進的に縮小する。
請求項９にかかる発明によると、軸方向係止溝の延出方向は、位置決めユニットの貫通方向と垂直になる。
これにより、バイトからフィードバックされた作用力に対するベースの荷重値を高めることができ、更に、ベースが力を受けた後で緩みや変位にならないように抑制することができる。
【００１３】
請求項１０にかかる発明によると、位置決めチューブは、バイトの送り端に形成されている切り欠きを有する。ベースは、切り欠きに対応する位置に、凸部が設けられている。凸部は、切り欠き内に当接することによって、位置決めチューブとベースとの相対回転および緩みを抑制する。
【００１４】
請求項１１にかかる発明によると、位置決めユニットは、横断面がＣ字状であるスプリングピンであり、弾性によって貫通穴内に安定的に位置決められている．
請求項１２にかかる発明によると、位置決めユニットは、断面積が延出方向に沿って漸進的に変化することによって、位置決めチューブを係止する。これにより、位置決めチューブがベースに安定的に位置決められることができる。
【００１５】
請求項１３にかかる発明によると、ベースの貫通穴に設けられているねじ部材をさらに備える。ベースの貫通穴は、円形であり、内部に狭いネック部が形成されている。ねじ部材は、狭いネック部に当接可能なナット部と、狭いネック部を貫通可能なネジ部とを有し、狭いネック部によって貫通穴内に係止される。位置決めユニットは、貫通穴に対応する筒状であり、外表面に形成されている傾斜面、および、内表面に形成されネジに対応する係止ねじ山を有する。ねじ部材により貫通穴内の位置決めユニットの位置を変え、位置決めチューブに対応する傾斜面の係止程度を変更可能である。
【００１６】
また、ベースの貫通穴に設けられ、ナット部とネジ部とを有するねじ部材をさらに備える。ベースの貫通穴は、円形である。位置決めチューブの位置決め溝に、第一表面を有するリッジ部が設けられる。位置決めユニットは、貫通穴に対応する筒状であり、外壁にリッジ部に対応する位置決め溝が形成されており、内壁にネジ部に対応する係止ねじ山が形成されている。位置決め溝は、第一表面に当接可能な傾斜面を有する。ねじ部材により貫通穴内の位置決めユニットの位置を変え、位置決めチューブに対応する傾斜面の係止程度を変更可能である。
【図面の簡単な説明】
【００１７】
【図１】本発明の第一実施形態によるバイトホルダを示す分解斜視図である。
【図２】本発明の第一実施形態によるバイトホルダを示す斜視図である。
【図３】本発明の第一実施形態によるバイトホルダを示す側面図である。
【図４】本発明の第一実施形態によるバイトホルダの位置決めチューブを示す端面図である。
【図５】本発明の第一実施形態によるバイトホルダの作動状態を示す模式図である。
【図６】本発明の第二実施形態によるバイトホルダを示す斜視図である。
【図７】本発明の第二実施形態によるバイトホルダを示す分解斜視図である。
【図８】図６の８−８線断面図である。
【図９】図６の８−８線断面図である。
【図１０】本発明の第三実施形態によるバイトホルダを示す分解斜視図である。
【図１１】本発明の第三実施形態によるバイトホルダの位置決めチューブ及び位置決めユニットを示す斜視図である。
【図１２】本発明の第三実施形態によるバイトホルダの位置決めチューブ及び位置決めユニットを示す分解斜視図である。
【図１３】本発明の第三実施形態によるバイトホルダの位置決めチューブ及び位置決めユニットを示す側面図である。
【発明を実施するための形態】
【００１８】
（第一実施形態）
図1〜図５に基づいて本発明の第一実施形態によるバイトホルダを説明する。
図１は、本発明の一実施形態のバイトホルダを示す分解斜視図である。図２は、図１に示したバイトホルダを示す斜視図である。図３は位置決めチューブを示す側面図であり、図４は位置決めチューブを示す端面図である。
【００１９】
本実施形態のバイトホルダ１００は、バイトＡ（図５参照）をホールドすることに用いられ、ベース２００と、位置決めチューブ３００と、位置決めユニット４００と、を備える。
【００２０】
ベース２００は、前傾斜壁２０１及び後傾斜壁２０２を有する。後傾斜壁２０２に環状承接面２１０が設けられる。環状承接面２１０の中央にベース穴２２０が設置される。また、ベース穴２２０の上側寄りに軸方向係止溝２３０が設置され、ベース穴２２０の下側寄りに貫通穴２４０が設けられる。軸方向係止溝２３０は、横断面がＶ字状であってよい。
【００２１】
位置決めチューブ３００は、その中にバイトＡを収容するための軸方向収容穴３１０を有する。位置決めチューブ３００の片側に挿入部３２０が設けられる。また、位置決めチューブ３００の他側に当接部３３０が設けられ、当接部３３０が環状承接面２１０に当接することによって、組立後の安定度を更に強化することができる。また、位置決めチューブ３００の挿入部３２０は、ベース穴２２０の内に貫設される。挿入部３２０の片側に位置決め溝３２１が設けられ、またその他側の軸方向係止溝２３０に対応する所に、係止部材３４０が設けられており、係止部材３４０によって軸方向係止溝２３０の内に係止されて組み立てられる。特に、係止部材３４０の断面積を内側から外側へ漸進的に縮小するように作成することができ、これにより、ベース２００と位置決めチューブ３００との組み合わせを漸進的に係止し密着させることができる。前記「内側」とは、係止部材３４０のベース２００の内部に寄る側であり、「外側」とは、係止部材３４０のベース２００の外部に寄る側である。
【００２２】
位置決めユニット４００は、横断面がＣ字状となるスプリングピンであり、弾性によって貫通穴２４０の内に安定的に位置決められる。位置決めユニット４００の一部が挿入部３２０の位置決め溝３２１の中に位置制限される。前記軸方向係止溝２３０の延出方向は、位置決めユニット４００の貫通方向とほぼ垂直となる。
【００２３】
係止部材３４０が軸方向係止溝２３０の内に係止され組み立てられることによって、位置決めチューブ３００とベース２００との結合安定度を強化することができ、位置決めチューブ３００がバイトの応力に影響されて回転やずれにならないように防止することができる。更に、位置決めユニット４００が軸方向係止溝２３０方向に垂直となって、挿入部３２０の位置決め溝３２１の中に位置制限されることに合わせて、位置決めユニット４００の弾性は、位置決めチューブ３００とベース２００との結合安定度を更に強化することができる。従って、バイトＡからフィードバックされた作用力に対する実施形態のベース２００の荷重値を高め、更に、ベース２００が力を受けた後で如何なる方向への緩みや変位にもならないように防止することができる。
【００２４】
また、前記軸方向係止溝２３０は、横断面がＵ字状又はアリ溝であってもよく、それに対応して、係止部材３４０を半円柱状又はアリほぞに設計すべきである。
【００２５】
本発明の実施形態において、係止部材３４０の断面積を内側から外側へ漸進的に縮小するように作成することによって、ベース２００と位置決めチューブ３００との組み合わせを漸進的に係止し密着させるしか示さないが、軸方向係止溝２３０の断面積は、外側から内側へ漸進的に縮小してもよく、同様に係止・密着を強化する効果がある。
【００２６】
図５における本実施形態の操作模式図を参照されたい。本実施形態の設計は、バイトＡからフィードバックされた作用力に対するベース２００及び位置決めチューブ３００の荷重値を強めることができるため、将来、バイトＡを交換する場合、ベース２００及び位置決めチューブ３００等のバイトホルダ１００のユニットを一斉に交換する必要がなく、メンテナンスのコストを低減することができる。
【００２７】
（第二実施形態）
図６〜図９を参照されたい。図６は、本発明の第二実施形態によるバイトホルダを示す斜視図である。第７図は、図６に示したバイトホルダを示す分解斜視図である。図８は、図６に示したバイトホルダを切断線８−８に沿って示す部分断面図である。図９は、図６に示したバイトホルダを切断線８−８に沿って示す別の部分断面図である。図７において、位置決めチューブ３００の当接部３３０に、バイトＡの送り端に位置する切り欠き３５０を設け、ベース２００に、切り欠き３５０に対応して、切り欠き３５０内に当接させる凸部２５０を設けることによって、位置決めチューブ３００がベース穴２２０に対して回転や緩みにならないように防止することができる。
【００２８】
本実施形態において、ベース２００の貫通穴２４０は、ほぼ円形となり、貫通穴２４０の内に狭いネック部２４１（図８、図９参照）及びねじ部材２４２が設けられる。ねじ部材２４２は、狭いネック部２４１の片側に位置するナット部２４２ａと、狭いネック部２４１を通して狭いネック部２４１の他側から突き出るネジ部２４２ｂとを有する。ナット部２４２ａの径方向寸法が、貫通穴２４０の狭いネック部２４１での径方向寸法より大きいため、狭いネック部２４１によって、ナット部２４２ｂが狭いネック部２４１１の他側へ変位しないように防止することができ、ねじ部材２４２を位置制限することができる。
【００２９】
位置決めユニット４００は、ほぼ筒状となるように設計され、その寸法が貫通穴２４０の寸法に対応し、その外表面に傾斜面４１０を設け、傾斜面４１０によって位置決めユニット４００の断面積を位置決めユニット４００の延出方向に沿って漸進的に変化させる。また、位置決めユニット４００の内表面に係止ねじ山４２０が設けられる。係止ねじ山４２０は、ねじ部材２４２のネジ部２４２ｂに対応して、ねじ部材２４２を回すことで貫通穴２４０にの位置決めユニット４００の位置を変えて、位置決めチューブ３００に対応する傾斜面４１０の係止程度を変えることができる。
【００３０】
図８及び図９を比較して、ねじ部材２４２が位置決めユニット４００を連動して貫通穴２４０の内部へ変位するにつれて、傾斜面４１０と位置決めチューブ３００との係止程度も増えるため、図９における傾斜面４１０と位置決めチューブ３００との係止程度は、図８における傾斜面４１０と位置決めチューブ３００との係止程度より高い。位置決めユニット４００と位置決めチューブ３００との係止関係によって、バイトＡからフィードバックされた作用力に対するベース２００の荷重値を高めることができ、ベース２００が力を受けた後で緩みや変位にならないように防止することができる。
【００３１】
（第三実施形態）
図１０は、本発明の第三実施形態によるバイトホルダを示す分解斜視図である。本実施形態において、ベース２００の貫通穴２４０は、ほぼ円形となり、貫通穴２４０の片側にねじ部材２４２が設けられる。ねじ部材２４２は、ナット部２４２ａとネジ部２４２ｂとを有する。
【００３２】
図１１〜図１３をも参照されたい。図１１は、図１０に示した位置決めチューブ及び位置決めユニットを示す斜視図である。図１２は、図１１に示した位置決めチューブ及び位置決めユニットを示す分解斜視図である。図１３は、図１１に示した位置決めチューブ及び位置決めユニットを示す側面図である。位置決めチューブ３００の位置決め溝３２１にリッジ部３２２が設けられる。リッジ部３２２は対称的に傾く第一表面３２２ａと第二表面３２２ｂとを有する。位置決めユニット４００は、ほぼ筒状となるように設計され、その寸法が貫通穴２４０の寸法に対応する。位置決めユニット４００は、貫通穴２４０の他側より貫通穴２４０を貫通する。位置決めユニット４００の外側に位置決め溝４３０が設けられる。位置決め溝４３０は傾斜面４１０を有する。傾斜面４１０はほぼ三角形となり、傾斜面４１０によって位置決めユニット４００の断面積を位置決めユニット４００の延出方向に沿って漸進的に変化させる。位置決め溝４３０はリッジ部３２２に対応して、傾斜面４１０が第一表面３２２ａに当接する。また、位置決めユニット４００の内表面に係止ねじ山４２０が設けられる。係止ねじ山４２０は、ねじ部材２４２のネジ部２４２ｂに対応して、ねじ部材２４２を回すことで貫通穴２４０内の位置決めユニット４００の位置を変えて、位置決めチューブ３００に対応する傾斜面４１０の係止程度を変えることができる。
【００３３】
位置決めユニット４００と位置決めチューブ３００との係止関係によって、バイトＡからフィードバックされた作用力に対するベース２００の荷重値を高めることができ、ベース２００が力を受けた後で緩みや変位にならないように防止することができる。
【００３４】
上記本発明の実施形態から、本発明を応用すれば、以下のメリットがあることが明らかである。
【００３５】
第一、位置決めチューブ３００に係止部材３４０が設けられ、係止部材３４０に対応して、ベース２００に軸方向係止溝２３０が設けられる場合、係止部材３４０が軸方向係止溝２３０の内に係止され組み立てられることによって、位置決めチューブ３００がベース２００に対して回転や緩みにならないように防止し、位置決めチューブ３００とベース２００との結合の安定性を高める。更に、バイトＡからフィードバックされた作用力に対するベース２００及び位置決めチューブ３００の荷重値を高め、メンテナンスのユニット交換のコストを低減することができる。
【００３６】
第二、係止部材３４０の断面積を内側から外側へ漸進的に縮小するように構成し、又は軸方向係止溝２３０の断面積を外側から内側へ漸進的に縮小するようにすることで、位置決めチューブ３００とベース２００との係止・密着の効果を高めることができる。
【００３７】
第三、位置決めチューブ３００に切り欠き３５０が設けられ、切り欠き３５０に対応して、ベース２００に凸部２５０が設けられる場合、凸部２５０が切り欠き３５０の内に当接することによって、位置決めチューブ３００がベース２００に対して回転や緩みにならないように防止し、位置決めチューブ３００とベース２００との結合の安定性を高めることができる。更に、バイトＡからフィードバックされた作用力に対するベース２００及び位置決めチューブ３００の荷重値を高め、メンテナンスのユニット交換のコストを低減することができる。
【００３８】
第四、位置決めユニット４００の横断面がＣ型となるスプリングピンである場合、位置決めユニット４００の弾性による位置決めチューブ３００の位置決め溝３２１に対する係止作用によって、ベース２００と位置決めチューブ３００との結合の安定性を向上させることができる。
【００３９】
第五、位置決めユニット４００の断面積が位置決めユニット４００の延出方向に沿って漸進的に変化する場合、漸進的に変化する断面積によって、位置決めユニット４００を位置決めチューブ３００に漸進的に係止させることもでき、位置決めチューブ３００とベース２００との係止・密着の効果を高めることができる。
【００４０】
本発明では、実施形態を前述の通り開示したが、これは本発明を限定するものではなく、当業者であれば、本発明の精神と領域から逸脱せずに、多様の変更や修正を加えることができる。従って、本発明の保護範囲は、特許請求の範囲の内容を基準とする。
【符号の説明】
【００４１】
１００・・・バイトホルダ、
２００・・・ベース、
２０１・・・前傾斜壁、
２０２・・・後傾斜壁、
２１０・・・環状承接面、
２２０・・・ベース穴、
２３０・・・軸方向係止溝、
２４０・・・貫通穴、
２４１・・・狭いネック部、
２４２・・・ねじ部材、
２４２ａ・・・ナット部、
２４２ｂ・・・ネジ部、
２５０・・・凸部、
３００・・・位置決めチューブ、
３１０・・・軸方向収容穴、
３２０・・・挿入部、
３２１・・・位置決め溝、
３２２・・・リッジ部、
３２２ａ・・・第一表面、
３２２ｂ・・・第二表面、
３３０・・・当接部、
３４０・・・係止部材、
３５０・・・切り欠き、
４００・・・位置決めユニット、
４１０・・・傾斜面、
４２０・・・係止ねじ山、
４３０・・・位置決め溝、
Ａ・・・バイト。
【図１】
2013163964.tif 000003
【図２】
2013163964.tif 000004
【図３】
2013163964.tif 000005
【図４】
2013163964.tif 000006
【図５】
2013163964.tif 000007
【図６】
2013163964.tif 000008
【図７】
2013163964.tif 000009
【図８】
2013163964.tif 000010
【図９】
2013163964.tif 000011
【図１０】
2013163964.tif 000012
【図１１】
2013163964.tif 000013
【図１２】
2013163964.tif 000014
【図１３】
2013163964.tif 000015